(57)【要約】【課題】透光カバーの発光面の輝度ムラを抑制することができる照明装置を提供する。【解決手段】複数のＬＥＤを有し、シャーシ１の辺部１１及び角部１２からなる外周部に対向させて周状に配された複数の基板３、４と、各基板に設けられた複数の光源からの光をシャーシ１の外周部の方向に集光する複数の集光レンズ５、６とを備える。シャーシ１の辺部１１それぞれに対向するようにして長さの長い４つの基板３を配置し、シャーシ１の角部１２それぞれに対向するようにして長さの短い基板４を配置して、８枚の基板３、４を交互に周状に配置してある。【選択図】図３
2014035837.tif 000002
【特許請求の範囲】
【請求項１】
シャーシと、該シャーシとの間に空間を設けて該シャーシに取り付けられる多角形状の透光カバーと、光源部とを備える照明装置において、
前記光源部は、
それぞれが光源を実装した複数の基板を備え、
該複数の基板は、
前記シャーシの中央部から外周部に向けて前記光源からの光が出射されるように周状に配置されてあり、
前記透光カバーの角部に対向する第１基板の長さが前記透光カバーの辺部に対向する第２基板の長さよりも短いことを特徴とする照明装置。
【請求項２】
前記第１基板及び第２基板は、
複数の異なる発光色の光源を少なくとも各１つ有し、
発光色が異なる光源の数の比率が同一であることを特徴とする請求項１に記載の照明装置。
【請求項３】
前記第１基板に実装される光源から出射される光の密度が前記第２基板に実装される光源から出射される光の密度よりも高いことを特徴とする請求項１又は請求項２に記載の照明装置。
【請求項４】
前記光源部からの光を前記シャーシの外周部の方向に集光する複数の集光レンズを備え、
各集光レンズそれぞれの光軸は、
前記シャーシと交差するようにしてあり、
前記第１基板に設けられた第１集光レンズの光軸が前記シャーシと交差するまでの距離は、前記第２基板に設けられた第２集光レンズの光軸が前記シャーシと交差するまでの距離よりも長いことを特徴とする請求項１から請求項３までのいずれか１項に記載の照明装置。
【発明の詳細な説明】
【技術分野】
【０００１】
本発明は、照明装置に関し、特に多角形状の透光カバーを有する照明装置に関する。
【背景技術】
【０００２】
住宅の室内用の照明装置としては、従来、白熱電球、蛍光灯などの光源を備えるものが用いられている。一方で、近年、発光ダイオード（ＬＥＤ）の高輝度化に伴い、白熱電球や蛍光灯などの光源に代えて、低消費電力、長寿命等の特性を有するＬＥＤが照明装置の光源として用いられるようになりつつある。
【０００３】
例えば、天井に固定した金属製のシャーシに円板状であって光拡散性を有する透光カバーを取り付け、透光カバーの中央部にはセンタ板を取り付けた照明装置が開示されている（特許文献１参照）。この照明装置は、シャーシの中央部に環状に配されたＬＥＤモジュールを有し、ＬＥＤモジュールが発する光をシャーシに設けられた反射板で反射させて透光カバーから外部へ放射するものである。
【先行技術文献】
【特許文献】
【０００４】
【特許文献１】特開２０１２−７４２１６号公報
【発明の概要】
【発明が解決しようとする課題】
【０００５】
特許文献１の照明装置では、透光カバーが円形状であるため、ＬＥＤモジュールからの光によって透光カバーが全体的に略均一な輝度で発光する。しかし、透光カバーの外周形状が正方形若しくは長方形などの矩形状又は五角形等の多角形状である場合、ＬＥＤモジュールからの光が透光カバーの角の近傍部分から十分に出射されないため、透光カバーの辺の近傍部分は明るいのに対し、角の近傍部分が暗くなるという問題がある。
【０００６】
本発明は斯かる事情に鑑みてなされたものであり、透光カバーが不均一な輝度で発光することを抑制することができる照明装置を提供することを目的とする。
【課題を解決するための手段】
【０００７】
本発明に係る照明装置は、シャーシと、該シャーシとの間に空間を設けて該シャーシに取り付けられる多角形状の透光カバーと、光源部とを備える照明装置において、前記光源部は、それぞれが光源を実装した複数の基板を備え、該複数の基板は、前記シャーシの中央部から外周部に向けて前記光源からの光が出射されるように周状に配置されてあり、前記透光カバーの角部に対向する第１基板の長さが前記透光カバーの辺部に対向する第２基板の長さよりも短いことを特徴とする。
【０００８】
本発明にあっては、光源部は、それぞれが光源を実装した複数の基板を備える。複数の基板は、シャーシの中央部から外周部に向けて光源からの光が出射されるように周状に配置されてある。光源は、例えば、ＬＥＤ（発光ダイオード）である。光源から発せられた光は、シャーシの外周部の方向へ放射される。複数の基板のうち、透光カバーの角部に対向する第１基板の長さが透光カバーの辺部に対向する第２基板の長さよりも短い。すなわち、長さの短い第１基板と長さの長い第２基板とを交互に外周部に沿って周状に並べ、透光カバーの辺部には第２基板を対向させ、透光カバーの角部に対しては第１基板を対向させることにより、複数の基板は略八角形状（周状）に配置されることになる。
【０００９】
同じ長さの基板を八角形状に配置する場合に比べて、透光カバーの角部に対向する第１基板の長さを短くすることにより、第１基板と透光カバーの角部との距離を短くすることができる。これにより、同じ長さの基板を八角形状に配置する場合に比べて、透光カバーの角部と光源との距離を短くすることでき、透光カバーの角部が辺部に比べて暗くなることを防止し、透光カバーが不均一な輝度で発光することを抑制することができる。
【００１０】
本発明に係る照明装置は、前記第１基板及び第２基板は、複数の異なる発光色の光源を少なくとも各１つ有し、発光色が異なる光源の数の比率が同一であることを特徴とする。
【００１１】
本発明にあっては、第１基板及び第２基板は、複数の異なる発光色の光源を少なくとも各１つ有し、発光色が異なる光源の数の比率が同一である。複数に異なる発光色は、例えば、電球色、昼光色及び赤色であるが、これに限定されるものではない。長さの長い第２基板上で電球色、昼光色及び赤色の光源の比率を、例えば、３：２：１とすると、長さの短い第１基板上の電球色、昼光色及び赤色の光源の比率を同一の３：２：１とする。これにより、透光カバーの辺部及び角部で同等の発光色の光を透過させることができ、透光カバーが不均一な輝度で発光することを抑制することができる。
【００１２】
本発明に係る照明装置は、前記第１基板に実装される光源から出射される光の密度が前記第２基板に実装される光源から出射される光の密度よりも高いことを特徴とする。
【００１３】
本発明にあっては、第１基板に実装される光源から出射される光の密度が前記第２基板に実装される光源から出射される光の密度よりも高い。これにより、透光カバーの辺部よりも光源からの距離が長い角部に十分な光量が届くようにすることができ、透光カバーの角部が辺部に比べて暗くなることを防止し、透光カバーが不均一な輝度で発光することを抑制することができる。
【００１４】
本発明に係る照明装置は、前記光源部からの光を前記シャーシの外周部の方向に集光する複数の集光レンズを備え、各集光レンズそれぞれの光軸は、前記シャーシと交差するようにしてあり、前記第１基板に設けられた第１集光レンズの光軸が前記シャーシと交差するまでの距離は、前記第２基板に設けられた第２集光レンズの光軸が前記シャーシと交差するまでの距離よりも長いことを特徴とする。
【００１５】
本発明にあっては、光源部からの光をシャーシの外周部の方向に集光する複数の集光レンズを備える。第１基板に設けられた第１集光レンズの光軸は、第２基板に設けられた第２集光レンズの光軸よりも集光レンズからの距離が長い位置でシャーシと交差する。透光カバーの角部に対向する第１集光レンズの光軸を、透光カバーの辺部に対向する第２集光レンズの光軸よりも、集光レンズからの距離が長い位置でシャーシと交差させることにより、第１集光レンズで集光された光の多くが透光カバーの角部に届くようにすることができ、透光カバーが不均一な輝度で発光することを抑制することができる。
【発明の効果】
【００１６】
本発明によれば、透光カバーが不均一な輝度で発光することを抑制することができる。
【図面の簡単な説明】
【００１７】
【図１】実施の形態１の照明装置の構成の一例を示す分解斜視図である。
【図２】照明装置を透光カバー側の光出射方向から見た平面図である。
【図３】照明装置のシャーシ及び光源部の配置例を示す平面図である。
【図４】図２のＩＶ−ＩＶ線における断面図である。
【図５】図２のＶ−Ｖ線における断面図である。
【図６】長い方の基板の構成の一例を示す説明図である。
【図７】短い方の基板の構成の一例を示す説明図である。
【図８】長い方の集光レンズの外観の一例を示す説明図である。
【図９】短い方の集光レンズの外観の一例を示す説明図である。
【図１０】光源部の配置の比較例を示す説明図である。
【図１１】光源部の配置の他の例を示す平面図である。
【図１２】反射シートの一例を示す平面図である。
【図１３】実施の形態１のシャーシの構成の一例を示す外観斜視図である。
【図１４】図１３の符号Ｂで示す平坦面の拡大図である。
【図１５】図５の符号Ａで示すシャーシの角部の拡大図である。
【図１６】実施の形態２のシャーシの構成の一例を示す外観斜視図である。
【図１７】実施の形態２のシャーシの傾斜状態の一例を示す説明図である。
【図１８】実施の形態２の透光カバーの一例を示す外観斜視図である。
【図１９】実施の形態２の透光カバーの要部の断面図である。
【発明を実施するための形態】
【００１８】
（実施の形態１）
以下、本発明をその実施の形態を示す図面に基づいて説明する。図１は実施の形態１の照明装置１００の構成の一例を示す分解斜視図である。以下の説明では、照明装置１００として、天井等の取付面（照明装置１００の横断面に平行な面）に直に取り付けることができるシーリングライトを例として挙げるが、本実施の形態の照明装置１００は、シーリングライトに限定されるものではなく、天井等の取付面に埋め込んで取り付ける照明装置等であってもよい。
【００１９】
図１に示すように、照明装置１００は、金属製であって外周形状が矩形状（本実施の形態では略正方形）の板部材からなるシャーシ１、シャーシ１と略同寸法の反射部としての反射シート２、シャーシ１と略同一の形状の矩形状の透光カバー７、第１基板としての４枚の基板４、第２基板としての４枚の基板３、基板４に装着される第１集光レンズとしての集光レンズ６、基板３に装着される第２集光レンズとしての集光レンズ５、センタカバー遮蔽部８１、遮光シート８２、センタカバー８３、防塵ホルダ８４、ＡＣカバー８５、アダプタ固定ホルダ８６、電源部８７などを備える。
【００２０】
図２は照明装置１００を透光カバー７側の光出射方向から見た平面図である。透光カバー７は、例えば、ポリカーボネート又はアクリル等の光を透過する材料からなり、光を拡散する拡散材が分散された乳白色の部材である。透光カバー７から照明装置１００の照明光が出射される。透光カバー７は、上記材料に限らず他の材料から構成されていてもよく、拡散材が分散されておらず透明な部材であってもよい。
【００２１】
図２に示すように、透光カバー７は、外周形状が略矩形状（図２の例では、略正方形）をなす。透光カバー７の外周部は、透光カバーの辺部としての４つの辺部７１、透光カバーの角部としての４つの角部７２で構成される。図２に示すように、辺部７１は透光カバー７の外周部において、隣接する角部７２、７２の間の部分であり、直線状に限らず所望の曲率で緩やかに湾曲させた形状であってもよい。また、図２に示すように、角部７２の先端も所望の曲率で湾曲させてもよく、尖った形状であってもよい。また、本実施の形態では略矩形の形状をなす透光カバー７を用いる例について説明するが、透光カバー７の形状は矩形に限らず三角形や五角形等の他の多角形状であってもよい。
【００２２】
なお、本実施の形態において、辺部７１は、透光カバー７の縁端のみならず、縁端とセンタカバー遮光部８１との間における当該縁端近傍の部分も含む。また、同様に角部７２は、透光カバー７の縁端のみならず、縁端とセンタカバー遮光部８１との間における当該縁端近傍の部分も含む。
【００２３】
図３は照明装置１００のシャーシ１及び光源部の配置例を示す平面図である。図３に示すように、シャーシ１は、外周形状が略矩形状（図３の例では、略正方形）をなす。シャーシ１の外周部は、シャーシの辺部としての４つの辺部１１、シャーシの角部としての４つの角部１２で構成される。図３に示すように、辺部１１は、透光カバー７と同様に直線状に限らず所望の曲率で緩やかに湾曲させてもよい。また、図３に示すように、角部１２の先端は透光カバー７と同様に所望の曲率で湾曲させてもよく、尖った形状であってもよい。また、シャーシ１の形状は透光カバー７に応じた矩形に限定されず、円形又は他の多角形状であってもよい。また、シャーシ１はアルミニウム又は鉄等の金属製に限らず、樹脂又はセラミックス等他の材料製であってもよい。
【００２４】
また、シャーシ１の透光カバー７側の面には反射シート２が設けられている。反射シート２はＰＥＴ（ポリエチレンテレフタレート）又はＰＰ（ポリプロピレン）等の材料からなり、後述する光源部から出射された光を反射して透光カバー７側へ出射する反射部である。光源部からの光を直接透光カバー７に向けて出射せず反射カバー７を介して出射することで透光カバー７における発光面の輝度ムラを抑制することができる。なお、本実施の形態における反射部は、反射シート２に限らずシャーシ１に直接光を反射する反射塗装膜を塗布して形成することもできる。ただし、反射シートの方が反射塗装膜よりも反射率が高く、光利用効率が良好である。
【００２５】
なお、本実施の形態において、辺部１１は、シャーシ１の縁端のみならず、当該縁端と後述の光源部との間における当該縁端近傍の部分も含む。また、同様に角部１２は、シャーシ１の縁端のみならず、当該縁端と光源部との間における当該縁端近傍の部分も含む。
【００２６】
図３に示すように、光源部は、それぞれがＬＥＤからなる複数の光源を実装した複数の矩形状の基板３、４と、各基板３、４に設けられ、複数の光源からの光をシャーシ１の辺部１１及び角部１２からなる外周部の方向に集光する集光レンズ５、６とを備える。そして、複数の基板３、４がシャーシ１に対して略垂直になるように外周部に沿って周状（略八角形）に配置してある。なお、光源はＬＥＤに限らずＥＬ（Electroluminescence）等の他の光源であってもよい。
【００２７】
より具体的には、シャーシ１の辺部１１それぞれに対向するようにして相対的に長さの長い４つの基板３を配置し、シャーシ１の角部１２それぞれに対向するようにして相対的に長さの短い基板４を配置して、８枚の基板３、４を交互に並べて周状（図３の例では、略八角形状）に配置してある。基板３及び基板４は、シャーシ１の中央部に設けられたアングル１０３、１０４に取り付けられる。これにより、基板３、４に実装された光源からの光がシャーシ１の中央部から外周部に向けて出射されるように基板３、４が配置される。なお、基板３、４の長さは異なるので、周状に配置した複数の基板３、４は正八角形状でない。また、基板３、４を取り付ける位置は、シャーシ１のアングル１０３、１０４に限らず、シャーシ１とは別の部材であってもよい。
【００２８】
各基板３、４の光源（ＬＥＤ）が実装された面に対向する位置には、それぞれ集光レンズ５、６を装着してある。集光レンズ５は、基板３と略同寸法の長さを有し、集光レンズ６は、基板４と略同寸法の長さを有する。そして、８個の集光レンズ５、６を交互に並べて周状（図３の例では、略八角形状）に配置してある。集光レンズ５、６は、基板３、４と同様にアングル１０３、１０４に取り付けられる。
【００２９】
各基板３、４に実装された光源から発せられた光は、各集光レンズ５、６で屈折されて、シャーシ１の外周部（辺部１１及び角部１２）の方向へ出射される。複数の基板３、４と集光レンズ５、６とを周状に配置してあるので、光源部から発せられた光は、シャーシ１の中央部から外周部（辺部１１及び角部１２）に向かって放射状に出射される。
【００３０】
図４は図２のＩＶ−ＩＶ線における断面図である。図４は照明装置１００の透光カバー７の対向する辺部７１それぞれと直交する面における要部を示す。なお、図４では便宜上シャーシ１を上側にし、透光カバー７を下側にして図示している。
【００３１】
相対的に長さの長い基板３に装着した集光レンズ５は、基板３に実装した光源からの光を集光してシャーシ１の外周部の方へ出射する。集光レンズ５で集光された光は所定の拡がりを有してシャーシ１の外周部の方へ出射されるが、集光レンズ５の光軸Ｓ１は、シャーシ１の辺部１１の交差位置で交差する。例えば、集光レンズ５の出射面と交差位置との離隔寸法はｄ１とすることができる。
【００３２】
集光レンズ５、６から出射された光は、シャーシ１に取り付けられた反射シート２で反射し、反射した光は透光カバー７の方へ進行し、一部の光は透光カバー７で再度反射されるが残りの大部分の光は、透光カバー７で拡散されて透光カバー７から外部へ放出される。集光レンズ５、６から出射された光は、反射シート２の集光レンズ５、６側に近いほど入射角が小さいので、単位面積当たりに入射する光量が大きい。すなわち反射シート２の集光レンズ５、６側から光源の光出射方向に離れるほど、入射光と反射シート２の垂線とのなす角度である入射角が大きくなるので、単位面積当たりに入射する光量は少なくなる。そこで集光レンズ５、６は、反射シート２の外周部へ集光させるので、暗くなりがちな外周部と光源部近傍に入射する単位面積当たりの光量の差を低減させることができる。このため、透光カバー７で拡散された外部に放出される光は、透光カバー７の中央部側と外周部側とで凡そ均等になる。
【００３３】
また、図４に示すように、反射シート２は、シャーシ１の中央部から外周部（辺部１１）の方向に沿って仮想平面１０から離れる方向へ傾斜してある（図４の例では、角度α）。つまり反射シート２及び反射シート２が取り付けられるシャーシ１は、シャーシ１の中央部から外周部に向かうにしたがって辺部１１が透光カバー７側に近づくように傾斜している。仮想平面１０は、シャーシ１の中央部がなす水平面である。反射シート２をシャーシ１の中央部から外周部の方向に沿って仮想平面１０から離れる方向へ傾斜してあるので、光源部から発せられた光が、シャーシ１の辺部１１に位置する反射シート２に入射する際の入射角を小さくすることができ、反射シート２の単位面積当たりに入射する光量を多くすることができ、透光カバーの辺部７１から拡散して出射する光の量を中央部で拡散して出射する光の量と同等にすることができ、透光カバー７の発光面の輝度ムラを抑制することができる。
【００３４】
また、透光カバー７は、シャーシ１の辺部１１（外周部）を内挿する屈曲部７１１を設けている。透光カバー７の屈曲部７１１にシャーシ１の辺部１１を内挿することにより、透光カバー７の屈曲部７１１をシャーシ１の辺部１１に係止させることができ、透光カバー７をシャーシ１に取り付けることができる。
【００３５】
図５は図２のＶ−Ｖ線における断面図である。図５は照明装置１００の透光カバー７の対向する角部７２それぞれと直交する面における要部を示す。なお、図５では便宜上シャーシ１を上側にし、透光カバー７を下側にして図示している。
【００３６】
相対的に長さの短い基板４に装着した集光レンズ６は、基板４に実装した光源からの光を集光してシャーシ１の外周部の方へ出射する。集光レンズ６で集光された光は所定の拡がりを有してシャーシ１の外周部の方へ出射されるが、集光レンズ４の光軸Ｓ２は、シャーシ１の角部１２の交差位置で交差する。例えば、集光レンズ６の出射面と交差位置との離隔寸法はｄ２とすることができる。
【００３７】
この離隔寸法ｄ２は、図４で例示した離隔寸法ｄ１より長い（ｄ２＞ｄ１）。すなわち、基板４に設けられた集光レンズ６の光軸Ｓ２は、基板３に設けられた集光レンズ５の光軸Ｓ１よりも集光レンズからの距離が長い位置でシャーシ１と交差する。シャーシ１及び透光カバー７の角部に対向する集光レンズ６の光軸Ｓ２を、シャーシ１及び透光カバー７の辺部に対向する集光レンズ５の光軸Ｓ１よりも、集光レンズからの距離が長い位置でシャーシ１と交差させることにより、集光レンズ６で集光された光の多くがシャーシ１及び透光カバー７の角部に届くようにすることができ、透光カバー７から透過する光の均一性を保つことができる。
【００３８】
また、図５に示すように、反射シート２は、シャーシ１の中央部から外周部（角部１２）の方向に沿って仮想平面１０から離れる方向へ傾斜してある（図５の例では、角度α）。つまり反射シート２及び反射シート２が取り付けられるシャーシ１は、シャーシ１の中央部から外周部に向かうにしたがって角部１２が透光カバー７側に近づくように傾斜している。仮想平面１０は、シャーシ１の中央部がなす水平面である。反射シート２をシャーシ１の中央部から角部１２の方向に沿って仮想平面１０から離れる方向へ傾斜してあるので、光源部から発せられた光が、シャーシ１の角部１２に位置する反射シート２に入射する際の入射角を小さくすることができ、反射シート２の単位面積当たりに入射する光量を多くすることができ、透光カバーの角部７２で拡散して出射する光の量を中央部で拡散して出射する光の量と同等にすることができ、透光カバー７の発光面の輝度ムラを抑制することができる。
【００３９】
また、透光カバー７は、シャーシ１の角部１２（外周部）を内挿する屈曲部７２１を設けている。透光カバー７の屈曲部７２１にシャーシ１の角部１２を内挿することにより、透光カバー７の屈曲部７２１をシャーシ１の角部１２に係止させることができ、透光カバー７をシャーシ１に取り付けることができる。
【００４０】
図６は長い方の基板３の構成の一例を示す説明図である。基板３には、光源としての複数のＬＥＤ３１、３２、３３、３４が直線状に配置されている。ＬＥＤ３１は、例えば、電球色のＬＥＤであり、ＬＥＤ３２は昼光色のＬＥＤであり、ＬＥＤ３３は赤色のＬＥＤである。また、ＬＥＤ３４は常夜灯のＬＥＤである。
【００４１】
電球色のＬＥＤ３１は６個実装してあり、昼光色のＬＥＤ３２は４個実装してあり、赤色のＬＥＤ３３は２個実装してある。電球色、昼光色及び赤色のＬＥＤの数の比率は、３：２：１となっている。また、基板３は、鉄、アルミニウム等の金属製であり、各ＬＥＤからの熱をアングル１０３に伝導する熱伝導体を兼ねている。なお、ＬＥＤの数及び配置は図６の例に限定されるものではない。
【００４２】
図７は短い方の基板４の構成の一例を示す説明図である。基板４には、光源としての複数のＬＥＤ４１、４２、４３が直線状に配置されている。ＬＥＤ４１は、例えば、電球色のＬＥＤであり、ＬＥＤ４２は昼光色のＬＥＤであり、ＬＥＤ４３は赤色のＬＥＤである。
【００４３】
電球色のＬＥＤ４１は３個実装してあり、昼光色のＬＥＤ４２は２個実装してあり、赤色のＬＥＤ４３は１個実装してある。電球色、昼光色及び赤色のＬＥＤの数の比率は、３：２：１となっている。また、基板４は、鉄、アルミニウム等の金属製であり、各ＬＥＤからの熱をアングル１０４に伝導する熱伝導体を兼ねている。なお、ＬＥＤの数及び配置は図７の例に限定されるものではない。
【００４４】
図６及び図７に示すように、基板３、４それぞれは、発光色が異なる光源の数の比率を同一にしてある。これにより、透光カバー７の辺部７１及び角部７２で同等の発光色の光を透過させることができ、透光カバー７全体の発光色を均一にすることができる。なお、複数に異なる発光色は、例えば、電球色、昼光色及び赤色であるが、これに限定されるものではない。例えば、電球色と昼光色との組み合わせでもよく、赤色に代えて他の色のＬＥＤを設けることもできる。
【００４５】
短い方の基板４の長手方向の距離当たりのＬＥＤの数が、長い方の基板３の長手方向の距離当たりのＬＥＤの数よりも多くすることができる。すなわち、透光カバー７の角部７２に対向して配置される基板４のＬＥＤから出射される光の密度を、透光カバー７の辺部７１に対向して配置される基板３のＬＥＤから出射される光の密度よりも高くすることにより、透光カバー７の辺部７１よりもＬＥＤからの距離が長い角部７２に十分な光量が届くようにすることができ、透光カバー７の角部７２が辺部７１に比べて暗くなることを防止し、透光カバー７から透過する光の均一性を保つことができ、透光カバー７の発光面の輝度ムラを抑制することができる。
【００４６】
図８は長い方の集光レンズ５の外観の一例を示す説明図である。集光レンズ５は、光軸Ｓ１に直光する断面形状が略矩形状の棒体をなし、光の入射面５１には長手方向に沿って、基板３上のＬＥＤ３１〜３４を収容するための溝部５２を形成してある。また、集光レンズ５の出射面５３は緩やかな凹面状をなし、中央に長手方向に沿って凸面５４を形成してある。集光レンズ５の長手方向に沿った側面５５は、入射面５１側から出射面５３側に向かって徐々に厚み（高さ）が増加するような曲面をなしている。なお、集光レンズ５の光軸Ｓ１は、例えば、凸面５４の厚みが最も厚い面に対して垂直の方向とすることができる。集光レンズ５で集光された光は、出射面５４から略平行光となって出射される。
【００４７】
図９は短い方の集光レンズ６の外観の一例を示す説明図である。集光レンズ６は、集光レンズ５と同様の形状をなし、長手方向の寸法が集光レンズ５の略半分である。すなわち、集光レンズ６は、光軸Ｓ２に直光する断面形状が略矩形状の棒体をなし、光の入射面６１には長手方向に沿って、基板４上のＬＥＤ４１〜４３を収容するための溝部６２を形成してある。また、集光レンズ６の出射面６３は緩やかな凹面状をなし、中央に長手方向に沿って凸面６４を形成してある。集光レンズ６の長手方向に沿った側面６５は、入射面６１側から出射面６３側に向かって徐々に厚み（高さ）が増加するような曲面をなしている。なお、集光レンズ６の光軸Ｓ２は、例えば、凸面６４の厚みが最も厚い面に対して垂直の方向とすることができる。集光レンズ６で集光された光は、出射面６４から略平行光となって出射される。
【００４８】
図１０は光源部の配置の比較例を示す説明図である。図１０は、矩形状のシャーシ１の一部を図示したものであり、比較例としての従来の光源部の配置例と、本実施の形態の光源部の配置例とを対比して図示している。図１０中、破線で示す符号１０１は、従来の長さが等しい基板及び集光レンズ１０１をそれぞれ８個、正八角形状に配置した場合を示す。この場合、基板及び集光レンズ１０１とシャーシ１の辺部１１との距離をｄ５とし、基板及び集光レンズ１０１とシャーシ１の角部１２との距離をｄ４とする。
【００４９】
次に、本実施の形態の長い方の基板３及び集光レンズ５とシャーシ１の辺部１１との距離をｄ５とした状態では、短い方の基板４及び集光レンズ６とシャーシ１の角部１２との距離はｄ３となり、基板４及び集光レンズ６が短いので、距離ｄ３はｄ４より短くなる（ｄ３＜ｄ４）。
【００５０】
すなわち、同じ長さの基板を八角形状に配置する場合に比べて、シャーシ１及び透光カバー７の角部に対向する基板４及び集光レンズ６の長さを短くすることにより、基板４及び集光レンズ６とシャーシ１及び透光カバー７の角部との距離を短くすることができる。これにより、同じ長さの基板を八角形状に配置する場合に比べて、透光カバー７の角部７２と光源との距離を短くすることでき、透光カバー７の角部７２が辺部７１に比べて暗くなることを抑制し、透光カバー７から透過する光の均一性を保つことができ、透光カバー７の発光面の輝度ムラを抑制することができる。
【００５１】
図１１は光源部の配置の他の例を示す平面図である。図３に例示したように、上述の構成では、シャーシ１の辺部１１それぞれに対向するようにして相対的に長さの長い４つの基板３を配置するものであった。すなわち、シャーシ１の辺部１１に対向する第２基板は１枚の基板で構成されていたが、第２基板は複数枚の基板で構成することもできる。
【００５２】
図１１に示すように、シャーシ１の辺部１１それぞれに対向するようにして２枚の基板３０１、３０２を配置し、シャーシ１の角部１２それぞれに対向するようにして基板４を配置して、１２枚の基板を交互に並べて周状に配置してある。また、基板３０１、３０２に対向して集光レンズ５０１、５０２を配置してある。この場合、基板４の長さが、２つの基板３０１、３０２それぞれの長さの合計よりも短くしてあれば、基板３、３０１、３０２それぞれの長さは任意の長さでよい。複数の基板３０１、３０２には、それぞれに対向する集光レンズ５０１、５０２を個別に配置しているが、基板３０１、３０２両方からの光を共通の１つのレンズで屈折及び集光させるようにレンズを設けてもよい。
【００５３】
また、同様に、シャーシ１の角部１２に対向する第１基板を複数枚の基板で構成することもできる。
【００５４】
図１２は反射シート２の一例を示す平面図である。反射シート２の外周形状は、シャーシ１と略同一の矩形状をなす。反射シート２の中央部には、光源部及び電源部などが収容されるように矩形状の開口部２３を形成してある。反射シート２の外周部は、反射部の辺部としての４つの辺部２１及び反射部の角部としての４つの角部２２で構成される。図１２に示すように、辺部２１は直線状に限らず所望の曲率で緩やかに湾曲させてもよい。また、図１２に示すように、角部２２の先端も所望の曲率で湾曲させてもよく、尖った形状でもよい。なお、本実施の形態において、辺部２１は、反射シート２の縁端のみならず、縁端と開口部２３との間における当該端部近傍の部分も含む。また、同様に角部２２は、反射シート２の縁端のみならず、縁端と開口部２３との間における当該端部近傍の部分も含む。
【００５５】
また、図１２に示すように、反射シート２は、開口部２３から外周部の方向に放射状に複数の線状の切り込み２４を形成してある。反射シート２をシャーシ１に装着した場合、反射シート２は、シャーシ１の中央部から外周部に沿って一定の曲率で湾曲して、あるいは一定の傾斜角で傾斜させてシャーシに装着される。反射シート２に切り込み２４を形成することにより、反射シート２口部２３付近の切り込み２４が広がるので、反射シート２をシャーシ１に密着させて装着することができる。
【００５６】
図１３は実施の形態１のシャーシ１の構成の一例を示す外観斜視図である。図１３の例は、反射シート２を省略してある。図１３に示すように、シャーシ１は、光源部（集光レンズ）からの離隔寸法が略同じであって、周方向に沿って所定の幅ｄ６を有する周状の傾斜面１３（図１３中、破線で示す部分）を有する。周状の傾斜面１３は、シャーシ１の外周部に向かうほど透光カバー７側に近づくように、一定の傾斜角でシャーシ１を傾斜させたものである。なお、傾斜角は、例えば、図４、図５で例示した角度αである。そして、反射シート２を傾斜面１３に密着させることにより、傾斜面１３に沿って傾斜した周状の反射部を反射シート２で形成することができる。
【００５７】
上述の構成により、各ＬＥＤから集光レンズ５、６を介して発せられた光は、反射シート２の周状の反射面（傾斜面１３に対応する面）において、傾斜面１３のいずれの位置においても、同等の入射角で入射し、入射した光は、反射面で反射して、均等に透光カバー７の方へ出射されるので、透光カバー７から透過する光の均一性を保つことができる。
【００５８】
また、シャーシ１の角部１２の端部には、シャーシ１の中央部がなす仮想平面１０と平行な平坦面１４を形成してある。
【００５９】
図１４は図１３の符号Ｂで示す平坦面１４の拡大図である。平坦面１４には、反射シート２の角部１１に位置する部分を傾斜させて支持する支持部としての突起１５、１６を備える。シャーシ１の角部１２の縁端に近い（外側の）突起１６の高さは、内側の突起１５の高さよりも高くしてある。突起１５、１６により反射シート２を支持するので、シャーシ１の辺部１１に比べてシャーシ１の角部１２での反射シート２の仮想平面１０からの離隔寸法を長くすることができる。つまり角部７２に対向する角部２２の照明装置１の厚み方向の位置が、辺部７１に対向する辺部２１よりも透光カバー７からの光出射方向側になるように設けられる。これにより、光源からの距離が辺部２１よりも長い角部２２にも光が届きやすくなり、透光カバー７の角部７２が辺部７１に比べて暗くなることを抑制し、透光カバー７から透過する光の均一性を保つことができ、透光カバー７の発光面の輝度ムラを抑制することができる。
【００６０】
図１５は図５の符号Ａで示すシャーシ１の角部１２の拡大図である。図１５に示すように、反射シート２は、仮想平面１０に対して傾斜角αで傾斜させてシャーシ１に装着してある。シャーシ１の傾斜面１３において、反射シート２は傾斜面１３に密着してある。シャーシの傾斜面の傾斜角はαである。なお、角部１２及び辺部１１を含むシャーシ１の傾斜角は、上記一定の傾斜角αに限らず、中央部から外周部に近づくほど傾斜角が変化するようにしてもよい。
【００６１】
また、シャーシ１の平坦面１４は、仮想平面１０と平行な面となっている。そして、平坦面１４に設けられた突起１６（突起１５は不図示）により反射シート２を傾斜角αで傾斜させて支持する。傾斜面１３の縁端と平坦面１４とは同一平面をなすようにしてある。
【００６２】
すなわち、シャーシ１の辺部１１の縁端と角部１２の縁端とは同一平面上にあるようにしてある。これにより、シャーシ１に取り付ける透光カバー７の外周が同一平面上にあるようにすることができ、シャーシ１と透光カバー７との外周での密閉性を高めることができる。
【００６３】
また、透光カバー７は、シャーシ１の角部１２（外周部）を内挿する屈曲部７２を設けている。透光カバー７の屈曲部７２にシャーシ１の角部１２を内挿することにより、透光カバー７の屈曲部７２をシャーシ１の角部１２に係止させることができ、透光カバー７をシャーシ１に取り付けることができる。
【００６４】
また、図１５に示すように、シャーシ１の辺部１１に位置する反射シートよりも角部１２に位置する反射シートの方が、シャーシ１の中央部がなす仮想平面１０からの離隔寸法が長い（図１５の例では、Δｈで示す寸法だけ長い）。例えば、反射シート２をシャーシ１の中央部から外周部に向かって湾曲するような形態（例えば、一定の曲率で湾曲させる）、あるいは反射シート２をシャーシ１の中央部から外周部に向かって傾斜するような形態（例えば、一定の傾斜角で傾斜させる）にする。この場合、シャーシ１の外周形状が矩形状であるので、シャーシ１の中央部から角部１２までの寸法は、シャーシ１の中央部から辺部１１までの寸法よりも長くなる。そして、反射シート２を一定の曲率で湾曲させた場合、あるいは一定の傾斜角で傾斜させた場合、シャーシ１の辺部１１に位置する反射シート２よりも角部１２に位置する反射シート２の方が、シャーシ１の中央部がなす仮想平面１０からの離隔寸法がΔｈだけ長くなる。
【００６５】
これにより、光源部からの光をシャーシ１の辺部１１と同様に角部１２でも反射シート２で透光カバー７の方へ反射させることができるので、透光カバー７の角部７２が辺部７１に比べて暗くなることを抑制し、透光カバー７から拡散して透過する光の均一性を保つことができ、透光カバー７の発光面の輝度ムラを抑制することができる。
【００６６】
（実施の形態２）
図１６は実施の形態２のシャーシ９の構成の一例を示す外観斜視図である。実施の形態１では、反射シート２を傾斜させてシャーシ１に装着する構成であったが、実施の形態２では、反射シート２に代えてシャーシ１の一面を反射部として用いる。また、実施の形態１では、シャーシ１の角部１２に平坦面１４を有する構成であるが、実施の形態２ではシャーシ９は角部９２に平坦面を有しない。なお、実施の形態２においても、シャーシ１に反射シートを設けることで反射部を形成してもよい。
【００６７】
図１６に示すように、シャーシ９は、外周形状が略矩形状（図１６の例では、略正方形）をなす。シャーシ９の外周部は、シャーシの辺部としての４つの辺部９１、シャーシの角部としての４つの角部９２で構成される。図１６に示すように、辺部９１は、直線状に限らず所望の曲率で緩やかに湾曲させてもよい。また、図１６に示すように、角部９２の先端も所望の曲率で湾曲させてもよい。また、辺部９１は、シャーシ９の縁端のみならず、縁端と光源部との間の部分も含む。また、同様に角部９２は、シャーシ９の縁端のみならず、縁端と光源部との間の部分も含む。シャーシ９の一面に反射膜９３を塗布して反射部を形成する。
【００６８】
図１７は実施の形態２のシャーシ９の傾斜状態の一例を示す説明図である。シャーシ９を中央部から外周部に向かって湾曲するような形態（例えば、一定の曲率で湾曲させる）、あるいはシャーシ９を中央部から外周部に向かって傾斜するような形態（例えば、一定の傾斜角で傾斜させる）にする。図１７の例では、シャーシ９の中央部がなす仮想平面１０に対した傾斜角αでシャーシ９を傾斜してある。すなわち、シャーシ９は、シャーシ９の中央部から外周部（辺部９１及び角部９２）の方向に沿って仮想平面１０から離れる方向へ傾斜してある。このため、シャーシ９の辺部９１の縁端と仮想平面１０との離隔寸法をｈ１とすると、シャーシ９の角部９２の縁端と仮想平面１０との離隔寸法はｈ２（＞ｈ１）となり、シャーシ９の辺部９１よりも角部９２の方が、シャーシ９の中央部がなす仮想平面１０からの離隔寸法Δｈ（＝ｈ２-ｈ１）だけ長い。図１６の例では、シャーシ９の中央部からの長さが、辺部９１よりも角部９２の方が長いので、角部９２が辺部９１よりも上方向の高さがΔｈだけ高いことになる。これにより、透光カバー７の角部７２に対向する角部９２の照明装置１の厚み方向の位置が、透光カバー７の辺部７１に対向する辺部９１よりも透光カバー７からの光出射方向側になるように設けられる。
【００６９】
これにより、光源部からの光をシャーシ９の辺部９１と同様に角部９２でも透光カバー７の方へ反射させることができるので、透光カバー７の角部７２が辺部７１に比べて暗くなることを抑制し、透光カバー７から透過する光の均一性を保つことができ、透光カバー７の発光面の輝度ムラを抑制することができる。
【００７０】
図１８は実施の形態２の透光カバー１０７の一例を示す外観斜視図である。図１６及び図１７で示したように、シャーシ９の角部９２は辺部９１よりもΔｈの長さ（高さ）だけ持ち上がる構造となっている。そして、シャーシ９に確実に透光カバー１０７が取り付けられるように透光カバー１０７の辺部１７１（例えば、図１８の符号Ｃで示す箇所）及び角部１７２（例えば、図１８の符号Ｄで示す箇所）の構造が異なる。以下、この点を説明する。
【００７１】
図１９は実施の形態２の透光カバー１０７の要部の断面図である。図１９Ａは図１８の符号Ｃで示す辺部１７１の拡大図であり、図１９Ｂは図１８の符号Ｄで示す角部１７２の拡大図である。上述のように、シャーシ９の辺部９１よりも角部９２の方が、シャーシ９の中央部がなす仮想平面１０からの離隔寸法がΔｈだけ長い（高い）。すなわち、シャーシ９の角部９２よりも辺部９１の方が透光カバー１０７からの離隔寸法が大きくなる。そして、シャーシ９の辺部９１を内挿する屈曲部１７１１の屈曲角β１（屈曲部の拡がり度合）は、シャーシ９の角部９２を内挿する屈曲部１７２１の屈曲角β２よりも大きい（β１＞β２）。屈曲角を大きくすることにより、シャーシ９の外周部が屈曲部１７１１、１７２１に係止する位置、すなわち透光カバー１０７からの離隔寸法を長く（高さ位置を高く）することができるので、シャーシ９の辺部９１及び角部９２で透光カバー１０７との間に隙間が生じないように確実に透光カバー１０７をシャーシ９に取り付けることができる。なお、図１９に例示するΔｈは、例えば、３ｍｍ程度とすることができる。
【００７２】
上述のように、透光カバー１０７の辺部１７１と角部１７２とで異なる形状、具体的には異なる屈曲部を設けることにより、透光カバー１０７がシャーシ９に取り付けられた状態で透光カバー１０７を見上げたときに、外観上、透光カバー１０７が天井面とほぼ平行に見え、天井面に対して歪を感じさせることがない。
【００７３】
上述の実施の形態１、２では、透光カバー及びシャーシの外周形状を正方形として説明したが、透光カバー及びシャーシの外周形状は正方形に限定されるものではなく、透光カバー及びシャーシの中央部（中心）から外周部までの距離（寸法）が外周部の位置により異なるような外周形状であれば、長方形、五角形、楕円形状などの他の形状であっても本実施の形態１、２を適用することができる。
【００７４】
上述の実施の形態１、２では、シーリングライトとしての照明装置について説明したが、照明装置は、シーリングライトに限定されるものでなく、他の照明装置であってよい。また、光源としてＬＥＤモジュールを備える照明装置について説明したが、光源はＬＥＤモジュールに限定されるものではなく、有機ＥＬなど他の光源でもよい。
【符号の説明】
【００７５】
１、９  シャーシ
１１、９１  辺部（シャーシの辺部）
１２、９２  角部（シャーシの角部）
２  反射シート
３、４  基板
３１、３２、３３、４１、４２、４３  ＬＥＤ
５、６  集光レンズ
７、１０７  透光カバー
１０  仮想平面
１３  傾斜面
１４  平坦面
１５、１６  突起
７１、１７１  辺部（透光カバーの辺部）
７２、１７２  角部（透光カバーの角部）
７１１、７２１、１７１１、１７２１  屈曲部
７３  反射膜
【図１】
2014035837.tif 000003
【図２】
2014035837.tif 000004
【図３】
2014035837.tif 000005
【図４】
2014035837.tif 000006
【図５】
2014035837.tif 000007
【図６】
2014035837.tif 000008
【図７】
2014035837.tif 000009
【図８】
2014035837.tif 000010
【図９】
2014035837.tif 000011
【図１０】
2014035837.tif 000012
【図１１】
2014035837.tif 000013
【図１２】
2014035837.tif 000014
【図１３】
2014035837.tif 000015
【図１４】
2014035837.tif 000016
【図１５】
2014035837.tif 000017
【図１６】
2014035837.tif 000018
【図１７】
2014035837.tif 000019
【図１８】
2014035837.tif 000020
【図１９】
2014035837.tif 000021